(57)【特許請求の範囲】
【請求項１】
互いにＩＳＤＮ回線で接続された複数の構内交換機の間でデータを伝送する方法において、
Ｄチャネルのレイヤ３メッセージにユーザ・ユーザ情報要素を加え、前記ユーザ・ユーザ情報要素の情報要素内容に伝送しようとするデータを格納して、当該レイヤ３メッセージを、前記複数の構内交換機の当該他の構内交換機に対し、Ｄチャネルを介して送信し、
前記複数の構内交換機の少なくともひとつである構内交換機甲は、複数のＤチャネルに接続し、
前記複数のＤチャネルは、それぞれ、前記複数の構内交換機のうち、前記構内交換機甲以外の構内交換機に接続され、
前記構内交換機甲は、一のＤチャネルを介して他の構内交換機から受信したデータを、他のＤチャネルから送出し、
一の構内交換機を特定する識別子を、前記複数の構内交換機のそれぞれに対して付与し、
前記データは前記識別子及びパーク保留情報を含み、
前記構内交換機甲は、自分自身の前記識別子を送信元の構内交換機として前記データに含むレイヤ３メッセージを受信すると、そのメッセージを他の構内交換機に転送しない
ことを特徴とするデータ伝送方法。
【請求項２】
請求項１に記載のデータ伝送方法において、前記データは、前記パーク保留情報に加えて、或いは、前記パーク保留情報に代えて、端末がダイヤルした内容を示すダイヤル情報、端末名称、内線番号、構内交換機を特定する識別子、被呼び出し端末の応答やフッキング通知のために必要なシステム内部信号用情報、ボイスメール操作用情報、構内交換機に接続された端末の状態を示すＤＳＳ情報のうち、少なくともひとつを含むことを特徴とするデータ伝送方法。
【請求項３】
請求項１及び２のいずれかに記載のデータ伝送方法において、前記複数の構内交換機は、互いにＩＳＤＮ回線網を介することなく接続されていることを特徴とするデータ伝送方法。
【請求項４】
請求項３に記載のデータ伝送方法において、前記複数の構内交換機は少なくとも３基の構内交換機からなり、これら構内交換機からなる接続は少なくともひとつ環状の経路を形成することを特徴とするデータ伝送方法。
【請求項５】
請求項１乃至４のいずれかに記載のデータ伝送方法を用いて一の構内交換機から他の構内交換機にデータを伝送することにより複数の構内交換機の間でデータを共有する方法。
【請求項６】
構内交換機において、
ＩＳＤＮ回線のＤチャネルを介して他の構内交換機と接続する接続手段と、
前記他の構内交換機に送信しようとするデータを、ユーザ・ユーザ情報要素の情報要素内容に格納したレイヤ３メッセージを生成する手段と、
それぞれ異なる構内交換機に接続する複数の前記接続手段と、
前記複数の接続手段の一である第１の接続手段を介して接続した構内交換機から受信したデータを、前記複数の接続手段のうち、前記第１の接続手段とは異なる接続手段である第２の接続手段を介して接続した構内交換機に転送する手段とを備え、
前記レイヤ３メッセージをＩＳＤＮ回線のＤチャネルを介して前記他の構内交換機に送信し、
構内交換機同士を識別するために当該構内交換機に対して付与された識別子を、送信元の構内交換機として前記データに含むレイヤ３メッセージを、他の構内交換機から受信すると、当該レイヤ３メッセージを他の構内交換機に転送しないものであって、
前記データはパーク保留情報を含む
ことを特徴とする構内交換機。
【請求項７】
請求項６に記載の構内交換機において、前記データは、前記パーク保留情報に加えて、或いは、前記パーク保留情報に代えて、端末がダイヤルした内容を示すダイヤル情報、端末名称、内線番号、構内交換機を特定する識別子、被呼び出し端末の応答やフッキング通知のために必要なシステム内部信号用情報、ボイスメール操作用情報、構内交換機に接続された端末の状態を示すＤＳＳ情報のうち、少なくともひとつを含むことを特徴とする構内交換機。
【請求項８】
請求項６及び７のいずれかに記載の構内交換機において、前記複数の接続手段は、互いにＩＳＤＮ回線網を介することなく他の構内交換機に接続することを特徴とする構内交換機。
【請求項９】
請求項８に記載の構内交換機において、前記複数の接続手段にて接続された構内交換機は、少なくとも３基の構内交換機からなり、これら構内交換機は、少なくともひとつ環状の経路を形成することを特徴とする構内交換機。
【請求項１０】
複数の構内交換機からなる構内交換機ネットワークシステムにおいて、
請求項６乃至９のいずれかに記載の構内交換機の複数を、ＩＳＤＮ回線を介して接続したネットワークであって、
ＩＳＤＮ回線のＤチャネルを介して他の構内交換機に前記レイヤ３メッセージを送信することにより、前記複数の構内交換機の一部乃至全部でデータを共有する
ことを特徴とする構内交換機ネットワーク。
【発明の詳細な説明】
【０００１】
【発明の属する技術分野】
本発明は、ＩＳＤＮ（ｉｎｔｅｇｒａｔｅｄ  ｓｅｒｖｉｃｅ  ｄｉｇｉｔａｌ  ｎｅｔｗｏｒｋ）により互いに接続された構内交換機の間で行なうデータ交換に関し、特に、Ｄチャネルを介して通信を行なう際の、メッセージの配信方法と、メッセージフォーマットに関する。
【０００２】
【従来の技術】
Ｄチャネルのレイヤ３メッセージで伝送されるメッセージは回線接続制御を規定している。しかし、このメッセージは交換機間でのデータ交換については規定していない。
【０００３】
また、ＩＳＤＮ回線は２つの交換機を互いに接続するので、ＩＳＤＮ網を介して接続した３台以上の交換機全てに対し、情報をリレーして伝達することができない。
【０００４】
【発明が解決しようとする課題】
このため、こうした構内交換機の間では、情報の共有ができなかった。本発明はこのような状況に鑑みてなされたものであり、本発明が解決しようとする課題は、ＩＳＤＮ回線を介して接続された構内交換機のうち、一部の交換機の間、または全部の交換機の間で、情報を共有可能とする技術を提供することである。
【０００５】
【課題を解決するための手段】
上述の課題を解決するため、本発明は次のようなデータ伝送方法、構内交換機及び構内交換機ネットワークをを提供する。
【０００６】
即ち、本発明は、互いにＩＳＤＮ回線で接続された複数の構内交換機の間でデータを伝送する方法において、Ｄチャネルのレイヤ３メッセージにユーザ・ユーザ情報要素を加え、ユーザ・ユーザ情報要素の情報要素内容に伝送しようとするデータを格納して、当該レイヤ３メッセージを、複数の構内交換機の当該他の構内交換機に対し、Ｄチャネルを介して送信することを特徴とするデータ伝送方法を提供する。
【０００７】
伝送するデータは、例えば、端末がダイヤルした内容を示すダイヤル情報、端末名称、内線番号、構内交換機を特定する識別子、被呼び出し端末の応答やフッキング通知のために必要なシステム内部信号用情報、ボイスメール操作用情報、構内交換機に接続された端末の状態を示すＤＳＳ情報、パーク保留情報を少なくともひとつ含むとよい。
【０００８】
この方法により一の構内交換機を介してデータを転送する場合、次のようにすればよい。即ち、複数の構内交換機の少なくともひとつである構内交換機甲は、複数のＤチャネルに接続し、複数のＤチャネルは、それぞれ、複数の構内交換機のうち、構内交換機甲以外の構内交換機に接続され、構内交換機甲は、一のＤチャネルを介して他の構内交換機から受信したデータを、他のＤチャネルから送出する。
【０００９】
転送を行なう場合は、不要な転送の発生を防ぐため、次のようにしてもよい。即ち、一の構内交換機を特定する識別子を、複数の構内交換機のそれぞれに対して付与し、データが識別子を含み、構内交換機甲は、自分自身の識別子を送信元の構内交換機としてデータに含むレイヤ３メッセージを受信すると、そのメッセージを他の構内交換機に転送しないこととすればよい。
【００１０】
上述のデータ伝送方法を用いて、一の構内交換機から他の構内交換機にデータを伝送することにより複数の構内交換機の間でデータを共有することとしてもよい。
【００１１】
また、本発明は、構内交換機において、ＩＳＤＮ回線のＤチャネルを介して他の構内交換機と接続する接続手段と、他の構内交換機に送信しようとするデータを、ユーザ・ユーザ情報要素の情報要素内容に格納したレイヤ３メッセージを生成する手段とを備え、レイヤ３メッセージをＩＳＤＮ回線のＤチャネルを介して他の構内交換機に送信することを特徴とする構内交換機を提供する。
【００１２】
送信するデータは、例えば、端末がダイヤルした内容を示すダイヤル情報、端末名称、内線番号、構内交換機を特定する識別子、被呼び出し端末の応答やフッキング通知のために必要なシステム内部信号用情報、ボイスメール操作用情報、構内交換機に接続された端末の状態を示すＤＳＳ情報、パーク保留情報のうち、少なくともひとつを含むことが考えられる。
【００１３】
一の構内交換機から受信したデータを他の構内交換機に転送する場合は、それぞれ異なる構内交換機に接続する複数の接続手段と、複数の接続手段の一である第１の接続手段を介して接続した構内交換機から受信したデータを、複数の接続手段のうち、第１の接続手段とは異なる接続手段である第２の接続手段を介して接続した構内交換機に転送する手段とを備えることとすればよい。
【００１４】
転送をする場合、不要な転送発生を防ぐため、構内交換機同士を識別するために当該構内交換機に対して付与された識別子を、送信元の構内交換機としてデータに含むレイヤ３メッセージを、他の構内交換機から受信すると、当該レイヤ３メッセージを他の構内交換機に転送しないこととすることが考えられる。
【００１５】
更に、本発明は、これらの構内交換機の複数をＩＳＤＮ回線で接続したネットワークを提供する。この場合、ＩＳＤＮ回線のＤチャネルを介して他の構内交換機にレイヤ３メッセージを送信することにより、複数の構内交換機の一部乃至全部でデータを共有するとよい。
【００１６】
【発明の実施の形態】
本発明の第１の実施の形態について図１を参照して説明する。第１の実施の形態では、ＩＳＤＮ回線で接続された２基の構内交換機Ａ及びＢの間において、ＩＳＤＮ回線のＤチャネルＡ−Ｂを介してデータ通信を行ない、情報を共有して、共有した情報に基づいて構内交換機Ａ及びＢが連携して動作する。
【００１７】
構内交換機間でデータの送受信を行なう際、構内交換機Ａ及びＢはレイヤ３（所謂Ｑ．９３１）メッセージにユーザ・ユーザ情報要素を加え、そこにレイヤ４メッセージを作成して送信する。
【００１８】
このユーザ・ユーザ情報要素の情報要素内容に、通信相手の構内交換機に送信しようとする情報を格納する。送信しようとする情報を格納したレイヤ３メッセージの構成例を図２に示す。以下に、図２に示した情報要素内容について説明する。
【００１９】
ダイヤル情報は、端末がダイヤルした内容を示す情報であり、この情報を他の構内交換機に伝送すれば、例えば、ある構内交換機に接続された端末が他の構内交換機のトランクから発信することが可能となる。
【００２０】
端末情報は、端末名称、内線番号に加えて、送信元の構内交換機の識別子（以下、構内交換機ＩＤと記す）を含む情報である。
【００２１】
システム内部信号用情報は、被呼び出し端末の応答やフッキング通知のために必要な情報である。
【００２２】
ボイスメール操作用情報は、ボイスメール用情報であり、ＤＴＭＦプロトコルの代わりにＤチャネルで伝送する際に用いる。
【００２３】
ＤＳＳ情報は端末の状態がＩＤＬＥ／ＢＵＳＹ／ＤＮＤ等に変化したことを示す情報である。
【００２４】
このようにして、構内交換機１２及び１３の間で情報を共有した後、共有した情報に基づいて、これら構内交換機は連携して動作することができる。例えば、ＤＳＳ情報を共有することにより、ある構内交換機の端末の状態を、他の構内交換機のＤＳＳコンソールにて表示することが可能となる。尚、ＤＳＳコンソールとは構内交換機の一部であり、端末の状態を表示する装置である。
【００２５】
次に、本発明の第２の実施の形態について説明する。第２の実施の形態では、ＩＳＤＮ回線で接続された３基以上の構内交換機からなるネットワーク、即ち構内交換機ネットワークにおいて、ＩＳＤＮ回線のＤチャネルを介してメッセージをリレーする。尚、レイヤ３メッセージの構成については第１の実施の形態と同様であるので説明を省略する。
【００２６】
本実施の形態では、構内交換機の各Ｄチャネル毎に以下の▲１▼〜▲４▼の設定を行なう。
【００２７】
▲１▼放送形式の送信を行なう／行なわない。
▲２▼受信したデータを実行する／実行しない。
▲３▼受信したデータを他のＤチャネルに転送する／転送しない。
▲４▼他のＤチャネルが受信したデータを自チャネルから送信する／送信しない。
【００２８】
これら▲１▼〜▲４▼の組み合わせにより、あるＤチャネルから他のＤチャネルへデータを伝送し、接続された全ての構内交換機にデータを配信する。
【００２９】
例えば、図３の構内交換機ネットワークでは、構内交換機Ａ、Ｂ及びＣのそれぞれが、他の２基の構内交換機と、ＩＳＤＮ回線のＤチャネルＡ−Ｂ、Ｂ−Ｃ及びＡ−Ｃにより接続されている。このとき、各ＩＳＤＮ回線のＤチャネル全てに対して、▲１▼の設定を「送信する」に設定すると共に、▲３▼の設定を「転送しない」に設定すればよい。こうすれば、一の構内交換機の情報を他の２基の構内交換機に送信することができる。
【００３０】
また、図４の構内交換機ネットワークでは、図３のネットワークに更に構内交換機Ｄが追加され、構内交換機Ｄは構内交換機ＣのみとＤチャネルＣ−Ｄを介して接続されている。このとき、４本のＩＳＤＮ回線からデータ用回線を選択し、選択した回線のＤチャネルに対して、▲１▼の設定を「送信する」に設定すると共に、▲３▼の設定を「転送する」に設定することが考えられる。例えば、ＤチャネルＡ−Ｃ、Ｂ−Ｃ及びＣ−Ｄをこのように設定し、残りのＤチャネルＡ−Ｂについては、▲１▼の設定を「送信しない」に設定すると共に、▲３▼の設定を「転送しない」に設定する。こうすれば、構内交換機Ｄからのデータは、まず構内交換機Ｃに送信されて、その後構内交換機Ｃにより、構内交換機Ａ及びＢに転送され、結果として構内交換機Ｄからのデータは全ての構内交換機に配信されることとなる。
【００３１】
ある構内交換機が他の構内交換機に向けて送出したメッセージが、誤ってその同じ構内交換機に戻ってきた場合は、上述した構内交換機ＩＤを参照してこれを判別し、そのメッセージについては転送を中止することで対処する。
【００３２】
更に、本発明の第３の実施の形態について説明する。第３の実施の形態は、構内交換機のＤチャネルに設定する放送形式が異なる。
【００３３】
本実施の形態では、構内交換機のそれぞれのＤチャネルに対し、以下の▲１▼〜▲４▼のいずれかの放送形式を設定する。
【００３４】
▲１▼データを受信しても、何も実行しないし送信もしない。自システム発の情報は送信しない。
▲２▼データを受信すると、実行するが送信しない。自システム発の情報は送信しない。
▲３▼データを受信すると、実行するが、他Ｄチャネルへのデータ転送送信は行なわない。自システム発の情報は送信する。
▲４▼データを受信すると、実行すると共に、受信したＤチャネル以外で▲４▼が設定されたＤチャネルに送信する。自システム発の情報は送信する。
【００３５】
構内交換機ネットワーク内の全てのＤチャネルに対し、これら▲１▼〜▲４▼のいずれかを設定することにより、あるＤチャネルから他のＤチャネルへデータを伝送し、接続された全ての構内交換機にデータを配信する。
【００３６】
例えば、図３の構内交換機ネットワークでは、各ＩＳＤＮ回線のＤチャネル全てに対して▲３▼を設定する。こうすれば、一の構内交換機の情報を他の２基の構内交換機に送信することができる。
【００３７】
また、図４の構内交換機ネットワークでは、ＤチャネルＡ−Ｃ、Ｂ−Ｃ及びＣ−Ｄを▲４▼に設定し、残りのＤチャネルＡ−Ｂを▲１▼に設定する。こうすれば、構内交換機Ｄからのデータは、まず構内交換機Ｃに送信されて、その後構内交換機Ｃにより、構内交換機Ａ及びＢに転送され、結果として構内交換機Ｄからのデータは全ての構内交換機に配信されることとなる。
【００３８】
第２の実施の形態と同様に、ある構内交換機が他の構内交換機に向けて送出したメッセージが、誤ってその同じ構内交換機に戻ってきた場合は、上述した構内交換機ＩＤを参照してこれを判別し、そのメッセージについては転送を中止することで対処する。
【００３９】
以上、本発明を実施の形態に基づいて説明したが、本発明はこれに限定されるものではなく、当業者の通常の知識の範囲内でその変更や改良が可能であることは勿論である。
【００４０】
例えば、本発明を利用してパーク保留情報を伝送してもよい。他の端末で再応答可能な保留、即ち、パーク保留に関する情報を共有すれば、ある構内交換機で保留した呼を別の構内交換機にてその保留に再応答することが可能となる。
【００４１】
【発明の効果】
本発明によれば、ＩＳＤＮ回線で接続された構内交換機の間でデータ通信が可能となり、その結果、構内交換機同士で情報の共有が可能となる。これにより、例えばパーク保留情報を共有すれば、ある交換機で保留した呼に対して、他の交換機で再応答することが可能となる。あるいは、ＤＳＳ情報を共有すれば、ＤＳＳコンソールにおいて、他の交換機の端末の状態を表示することが可能となる。
【図面の簡単な説明】
【図１】本発明の第１の実施の形態を説明するための機能ブロック図である。
【図２】本発明の構内交換機が送信するレイヤ３メッセージの構成を説明する図である。
【図３】本発明の第２の実施の形態を説明するための機能ブロック図である。
【図４】本発明の第２の実施の形態を説明するための機能ブロック図である。
【符号の説明】
Ａ、Ｂ、Ｃ、Ｄ  構内交換機
【図１】
0003569900.tif 000002
【図２】
0003569900.tif 000003
【図３】
0003569900.tif 000004
【図４】
0003569900.tif 000005